(57)【要約】【課題】伝送障害に基づく欠けたデータパケットも許容することを可能にする。【解決手段】データパケットは、それぞれ、ＣＴ装置の１つの検出器行（１６）における１つのセグメントのデータを含むように選ばれるか、またはＣＴ装置の１つの完全な検出器行（１６）のデータを含むように選ばれ、受信装置（９，１０）において不完全なデータパケットおよび／または欠けているデータパケットが識別され、これらのデータパケットのための記憶領域が少なくとも確保され、誤り有りとしてマークされ、不完全なデータパケットおよび／または欠けているデータパケットは、後で、隣の検出器行（１６）のデータ、１つの検出器行（１６）における隣のセグメントのデータ、および先行または後続のデータパケットに含まれている相前後する投影のデータの内の少なくとも１つのデータから補間される。【選択図】図１
2005305166.tif 000002
【特許請求の範囲】
【請求項１】
データ収集ユニット（６）と画像再構成装置（１１）との間の耐障害性データ伝送のために、ディジタルデータがデータパケットに区分けされてデータストリームとして送信装置（７，８）から受信装置（９，１０）へ伝送され、受信装置（９，１０）において継続処理のために一時記憶されるコンピュータ断層撮影装置（ＣＴ装置）の耐障害性データ伝送方法において、
データパケットは、それぞれ、ＣＴ装置の１つの検出器行（１６）における１つのセグメントのデータを含むように選ばれるか、またはＣＴ装置の１つの完全な検出器行（１６）のデータを含むように選ばれ、
受信装置（９，１０）において不完全なデータパケットおよび／または欠けているデータパケットが識別され、
これらのデータパケットのための記憶領域が少なくとも確保され、誤り有りとしてマークされ、
不完全なデータパケットおよび／または欠けているデータパケットは、後で、隣の検出器行（１６）のデータ、１つの検出器行（１６）における隣のセグメントのデータ、および先行または後続のデータパケットに含まれている相前後する投影のデータの内の少なくとも１つのデータから補間される
ことを特徴とするコンピュータ断層撮影装置の耐障害性データ伝送方法。
【請求項２】
受信装置（９，１０）において、全部そろっているが誤りのあるデータパケットが同様に識別されて誤りのあるデータパケットとしてマークされ、誤りのあるデータパケットは後で先行または後続のデータパケットのデータから補間されることを特徴とする請求項１記載の方法。
【請求項３】
多次元の関係を表わすデータの伝送時に、データがその関係に対応する多次元のマトリックスのデータパケットに区分けされることを特徴とする請求項１又は２記載の方法。
【請求項４】
データパケットは、伝送前に、データストリーム内のデータパケット位置を一義的に識別する符号を備えていることを特徴とする請求項１乃至３の１つに記載の方法。
【請求項５】
データパケットは、伝送前に、伝送時にビットエラーを識別できる検査コードを備えていることを特徴とする請求項１乃至４の１つに記載の方法。
【請求項６】
誤りのあるデータパケット、不完全なデータパケットおよび欠けているデータパケットの内の少なくとも１つのデータパケットの個数および／または分布がリアルタイムで監視され、予め与え得る限界値の超過時に伝送が遮断されることを特徴とする請求項１乃至５の１つに記載の方法。
【請求項７】
データ収集ユニット（６）と画像再構成装置（１１）との間のデータ伝送装置と、ディジタルデータをデータパケットで受信装置（９，１０）に伝送する送信装置（７，８）とを備え、受信装置（９，１０）はデータパケットを一時記憶するためのメモリユニットを有するコンピュータ断層撮影装置（ＣＴ装置）において、
送信装置（７，８）は、ＣＴ装置の１つの検出器行（１６）における１つのセグメントのデータ、またはＣＴ装置の１つの完全な検出器行（１６）のデータを、１つのデータパケットで伝送するように構成され、
受信装置（９，１０）は、不完全なデータパケットおよび／または欠けているデータパケットを識別しこれらのデータパケットのための記憶領域をメモリユニット内に少なくとも確保し誤り有りとしてマークする完全化モジュール（１４）を含み、
不完全なデータパケット、欠けているデータパケットおよび誤りのあるデータパケットの内の少なくとも１つのデータパケットを、後で、隣の検出器行（１６）のデータ、１つの検出器行（１６）における隣のセグメントのデータ、および先行または後続のデータパケット内に含まれている相前後する投影のデータの内の少なくとも１つのデータから補間する補間モジュール（１５）が設けられている
ことを特徴とするコンピュータ断層撮影装置。
【請求項８】
送信装置（７，８）は、多次元の関係を表わすデータの伝送時にデータをその関係に対応する多次元のマトリックスのデータパケットに区分けするように構成されていることを特徴とする請求項７記載の装置。
【請求項９】
送信装置（７，８）は、データパケットが伝送前にデータストリーム内のデータパケット位置を一義的に識別する符号を備えているように構成されていることを特徴とする請求項７又は８記載の装置。
【請求項１０】
完全化モジュール（１４）は、誤りのあるデータパケット、不完全なデータパケットおよび欠けているデータパケットの内の少なくとも１つのデータパケットの個数および／または分布をリアルタイムで監視し、且つ個数および／または分布が予め与え得る限界値を超過した際に伝送遮断の信号を発するように構成されていることを特徴とする請求項７乃至９の１つに記載の装置。
【請求項１１】
補間モジュールは（１５）は画像再構成装置（１１）の構成部分であることを特徴とする請求項７乃至１０の１つに記載のＣＴ装置。
【請求項１２】
完全化モジュール（１４）はプログラム可能な論理回路として構成されていることを特徴とする請求項７乃至１１の１つに記載の装置。
【発明の詳細な説明】
【技術分野】
【０００１】
本発明は、データ収集ユニットと画像再構成装置との間の耐障害性データ伝送のために、ディジタルデータがデータパケットに区分けされてデータストリームとして送信装置から受信装置へ伝送され、受信装置において継続処理のために一時記憶されるコンピュータ断層撮影装置（ＣＴ装置）の耐障害性データ伝送方法に関する。
【０００２】
本発明はデータ収集ユニットと画像再構成装置との間のデータ伝送装置を備えたコンピュータ断層撮影装置（ＣＴ装置）にも関する。
【背景技術】
【０００３】
誤りのないデータ伝送は多くの技術分野において重要な役割を果たす。画像化の分野、特に医療用画像化の分野においては、測定場所におけるデータ収集ユニットから画像再構成ユニットへの測定データのできる限り誤りのない伝送が、質的に価値の高い画像再構成のための重要な条件の１つである。伝送の誤りの問題は、特に、例えばコンピュータ断層撮影装置に使用されているような無線伝送技術において発生する。ＣＴ装置において、測定場所でデータ収集ユニットを介して収集された測定データをまだ測定中に固定側の画像再構成装置に伝送できるようにするために、データ伝送は光学式または容量式のスリップリングを介して回転部分と固定部分との間で行なわれる。しかしながら、ＣＴ装置におけるこのデータ伝送技術は外乱に対して敏感であり、データ伝送時に誤りのあるデータビットを生じる。このビットエラーは相応のエラー修正技術によってしばしば修正されるのに対して、データ伝送の遮断または送信装置と受信装置との間での一時的に失われた同期が比較的大きな問題を招いている。この種の遮断はマルチスライスＣＴ装置の場合には高い確率で発生する。なぜならば、外乱がこのシステムの非常に高い伝送速度に基づいて同じ期間に多数のデータビットに影響を与えるからである。今日のマルチスライスＣＴ装置の場合には測定データがシリアルビットストリームで伝送され、ビットストリームには直列のビットクロックも組み込まれている。受信装置は組み込まれているクロックを抽出し、ビットストリームを最適に復号化する。更に、バイト同期化およびパケット同期化を達成するために、ビットストリームと共に特別なシリアルコードが周期的に送られる。この同期化コードの伝送時に外乱がエラーを生じ、そのエラーが受信装置の非同期化を招く。この場合には、伝達されたデータパケットが受信もしくは復号されないか、または不完全にしか受信もしくは復号されないので、それに続く画像再構成にとって当該データパケットは欠けている。
【０００４】
コンピュータ断層撮影装置における測定データの通信時の欠けているデータパケットに基づいて、測定プロセス全体が中断されなければならないことが起こり得る。なぜならば、欠けているデータのために正しい画像再構成がもはや不可能であるからである。これは、造影剤の損失、患者負担の増大並びに追加的時間消費をもたらす。
【０００５】
伝送されたデータパケット内の誤りのあるデータビットが隣のデータパケットから補間されるビット値によって置き換えられる耐障害性データ伝送方法は公知である（特許文献１参照）。誤りのあるデータパケットは、例えばデータパケットと共に伝送された誤り検査合計を介して識別される。
【０００６】
更に、用語「前進型誤信号訂正（ＦＥＣ＝Ｆｏｒｗａｒｄ  Ｅｒｒｏｒ  Ｃｏｒｒｅｃｔｉｏｎ）」のもとに、誤りのあるデータビットの正しい値の復元を可能にする付加的なコード化ビットをデータと一緒に伝送する技術が知られている。
【０００７】
ネットワークを介するデータパケットの伝送時の前進型誤信号訂正（ＡＥＣ）方法において、伝送すべきデータパケットから付加的にパリティパケットを発生させ、パリティパケットから後で欠けているデータパケットを回復することは公知である（特許文献２参照）。これらのパリティパケットはデータパケットに付加してネットワークを介して伝送されなければならず、それによりデータ伝送速度を低下させる。従って、ＣＴ装置におけるこの技術の使用は有利ではない。欠けているデータパケットの場合、これらは一般にパリティパケットの情報から回復される。回復可能でないパケットでは、これらを予め与えられた代用パケットによって置き換えるか、先行および後続の複数のデータパケットのデータから平均値を形成し欠けているデータパケットをこのようにして得られた平均的データパケットによって置き換えることが提案される。これらの方法ステップはこの特許文献２の受信装置のＪＰＥＣデコーダにおいて行なわれる。
【０００８】
ネットワークにおけるデータ伝送方法において付加的なパリティパケットを発生させて伝送することは公知である（特許文献３参照）。これにおいては伝送が多次元マトリックスにおいて行なわれる。この多次元マトリックスは、失われたデータパケットをパリティパケットを介して後で回復することを容易にする。欠けているデータパケットはスペースホルダを有するマトリックスの受信時に表示され、引続いてパリティパケットより復元される。パリティパケットによる復元が不可能である欠けているデータパケットは置き換えられない。
【０００９】
各画像のために漸進的に符号化される冗長ブロックコードおよび付加データにより画像伝送が行なわれる画像符号化方法は公知である（特許文献４参照）。従って、これは画像伝送方法であり、測定データつまり生データの伝送方法ではない。なぜならば、ＣＴ装置において受信装置の後に接続された画像再構成ユニット内で初めて、測定データつまり生データから相応の画像データが発生されるからである。
【００１０】
誤りのあるデータパケットのための補間回路において、２つの独立した受信バッファを設け、一方の受信バッファを正常なデータパケットの収集に用い、他方の受信バッファを欠陥のあるデータパケットつまり補間すべきデータパケットの収集に用いることは公知である（特許文献５参照）。
【特許文献１】米国特許出願公開第２００３／０１８５４２７号明細書
【特許文献２】米国特許出願公開第２００３／０２２９８４０号明細書
【特許文献３】米国特許出願公開第２００２／０１７４４０３号明細書
【特許文献４】国際公開第０１／２８２５２号パンフレット
【特許文献５】特開２００１−２２１９５８号公報
【発明の開示】
【発明が解決しようとする課題】
【００１１】
本発明の課題は、このような従来技術から出発して、より多数の欠けているデータパケットがデータ伝送時もしくは受信されたデータの復号時に許容可能であるコンピュータ断層撮影装置の耐障害性データ伝送方法およびコンピュータ断層撮影装置を提供することにある。
【課題を解決するための手段】
【００１２】
コンピュータ断層撮影装置の耐障害性データ伝送方法に関する課題は、本発明によれば、データ収集ユニットと画像再構成装置との間の耐障害性データ伝送のために、ディジタルデータがデータパケットに区分けされてデータストリームとして送信装置から受信装置へ伝送され、受信装置において継続処理のために一時記憶されるコンピュータ断層撮影装置（ＣＴ装置）の耐障害性データ伝送方法において、データパケットは、それぞれ、ＣＴ装置の１つの検出器行における１つのセグメントのデータを含むように選ばれるか、またはＣＴ装置の１つの完全な検出器行のデータを含むように選ばれ、受信装置において不完全なデータパケットおよび／または欠けているデータパケットが識別され、これらのデータパケットのための記憶領域が少なくとも確保され、誤り有りとしてマークされ、不完全なデータパケットおよび／または欠けているデータパケットは、後で、隣の検出器行のデータ、１つの検出器行における隣のセグメントのデータ、および先行または後続のデータパケットに含まれている相前後する投影のデータの内の少なくとも１つのデータから補間されることによって解決される。
【００１３】
コンピュータ断層撮影装置（ＣＴ装置）の耐障害性データ伝送方法に関する有利な実施態様は次のように列記される。
（１）受信装置において、全部そろっているが誤りのあるデータパケットが同様に識別されて誤りのあるデータパケットとしてマークされ、誤りのあるデータパケットは後で先行または後続のデータパケットのデータから補間される。
（２）多次元の関係を表わすデータの伝送時に、データがその関係に対応する多次元のマトリックスのデータパケットに区分けされる。
（３）データパケットは、伝送前に、データストリーム内のデータパケット位置を一義的に識別する符号を備えている。
（４）データパケットは、伝送前に、伝送時にビットエラーを識別できる検査コードを備えている。
（５）誤りのあるデータパケット、不完全なデータパケットおよび欠けているデータパケットの内の少なくとも１つのデータパケットの個数および／または分布がリアルタイムで監視され、予め与え得る限界値の超過時に伝送が遮断される。
【００１４】
コンピュータ断層撮影装置に関する課題は、本発明によれば、データ収集ユニットと画像再構成装置との間のデータ伝送装置と、ディジタルデータをデータパケットで受信装置に伝送する送信装置とを備え、受信装置はデータパケットを一時記憶するためのメモリユニットを有するコンピュータ断層撮影装置（ＣＴ装置）において、送信装置は、ＣＴ装置の１つの検出器行における１つのセグメントのデータ、またはＣＴ装置の１つの完全な検出器行のデータを、１つのデータパケットで伝送するように構成され、受信装置は、不完全なデータパケットおよび／または欠けているデータパケットを識別しこれらのデータパケットのための記憶領域をメモリユニット内に少なくとも確保し誤り有りとしてマークする完全化モジュールを含み、不完全なデータパケット、欠けているデータパケットおよび誤りのあるデータパケットの内の少なくとも１つのデータパケットを、後で、隣の検出器行のデータ、１つの検出器行における隣のセグメントのデータ、および先行または後続のデータパケット内に含まれている相前後する投影のデータの内の少なくとも１つのデータから補間する補間モジュールが設けられているによって解決される。
【００１５】
コンピュータ断層撮影装置に関する有利な実施態様は次のように列記される。
（１）送信装置は、多次元の関係を表わすデータの伝送時にデータをその関係に対応する多次元のマトリックスのデータパケットに区分けするように構成されている。
（２）送信装置は、データパケットが伝送前にデータストリーム内のデータパケット位置を一義的に識別する符号を備えているように構成されている。
（３）完全化モジュールは、誤りのあるデータパケット、不完全なデータパケットおよび欠けているデータパケットの内の少なくとも１つのデータパケットの個数および／または分布をリアルタイムで監視し、且つ個数および／または分布が予め与え得る限界値を超過した際に伝送遮断の信号を発するように構成されている。
（４）補間モジュールはは画像再構成装置の構成部分である。
（５）完全化モジュールはプログラム可能な論理回路として構成されている。
【００１６】
本発明による耐障害性データ伝送方法において、ディジタルデータがデータパケットに区分けされてデータストリームとして送信装置から受信装置へ伝送され、受信装置において継続処理のために一時記憶される。受信装置において、データパケットにおける欠けているデータおよび／または欠けているデータパケットが識別される。これらの欠けているデータまたはデータパケットのために記憶領域が少なくとも確保され、誤り有りとしてマークされる。後の時点で、不完全なデータパケットおよび／または欠けているデータパケットは、先行または後続のデータパケットのデータから補間される。それゆえ、この方法の主な特徴は、欠けているデータもしくはデータパケットのために記憶領域が確保されることにあり、これはあたかもこの領域が受信されたデータパケットを含んでいるかのようであるが、それらの受信されたデータパケットは誤りのあるデータを有するにすぎない。これは任意の値によるその都度の記憶領域の書込みによって行なうことができる。個々のデータパケット内に欠けているビットが存在する場合、データパケットのこれらのビットは、とりわけ任意のビット値を補充され、このようにして形式的に完全化されたデータパケットが記憶され、誤り有りとしてマークされる。誤り有りとしてマークされたデータパケットは、後の時点で、他のデータパケットが伝送された後に、先行しておよび／または後続して伝送されたデータパケットのデータから補間される。
【００１７】
測定データは、データパケットが１つの検出器行の連続するセグメントの測定データまたはその検出器行全体の測定データを含むように、データパケットに区分けされる。このようにして、受信装置において、受信されたデータパケットによる２次元マトリックスが作成され、このマトリックスはコンピュータ断層撮影の検出器ユニットの行および場合によっては行セグメントを模擬する。このマトリックスは、測定データがその都度収集された異なる投影の付加によって、行方向に拡張される。このようにして、欠けているデータパケットが、隣の行のデータパケットからも、隣の投影の同じ行のデータパケットからも補間される。
【００１８】
送信装置から提供されたデータパケットの大きさは、典型的に発生する障害に依存して、これらの障害によって直接的に相前後するデータパケットが一般的に過多に失われることがなく、後での補間が可能となるように選ばれる。例えば２次元の断層画像データまたは３次元のボリュームデータのような多次元の関係を表すデータの伝送の場合、収集された測定データが伝送前に当該関係に対応する相応の多次元のデータパケットマトリックスにまとめられると好ましい。
【００１９】
データパケットは、その伝送前に、データストリーム内のデータパケット位置を一義的に識別する符号を備えていると好ましい。この符号は、例えば伝送するデータパケットの連続番号によって表示され、データストリーム内におけるそれぞれのデータパケットのアドレスであるとよい。受信装置に到着したデータパケットもしくは復号化されたデータパケットのかかる符号の監視によって、あらゆる時点での欠けているデータパケットを確実に識別することができる。データパケット内の欠けているデータはそれぞれのデータパケットの短すぎる長さに基づいて容易に識別される。
【００２０】
更に、１つのデータパケット内の欠けているデータのみならず個々のビットエラーも受信装置において検出し、後で修正することができるように、データパケットに従来と同様に検査コード、例えば検査合計を備えると有利である。
【００２１】
本発明による方法および装置の他の有利な実施態様において、欠けているデータパケット、誤りのあるデータパケット、あるいは不完全なデータパケットの個数および分布がリアルタイムで監視される。データの継続処理をもはや有効に行なえなくなる相応の予め与え得る限界値の超過時に、データ伝送またはこのデータ伝送の基礎をなす測定が中断される。この限界値の大きさはその都度の用途に依存する。
【００２２】
本発明による方法を実施するためにＣＴ装置に設けられた装置は、ディジタルデータをデータパケットで受信装置に伝送する送信装置を含み、受信装置はデータパケットを一時記憶するためのメモリユニット、特に受信バッファを有する。受信装置は、データパケット内の欠けているデータおよび／または欠けているデータパケットを識別し欠けているデータまたはデータパケットのための記憶領域をメモリユニット内に少なくとも確保し誤りのあるデータパケットとしてマークする完全化モジュールを含む。送信装置は、ＣＴ装置の１つの検出器行における１つのセグメントのデータ、またはＣＴ装置の１つの完全な検出器行のデータを、１つのデータパケットで伝送するように構成されている。更に、装置の構成部分として、欠けているデータパケット、不完全なデータパケットおよび誤りのあるデータパケットの内の少なくとも１つのデータパケットを、後で、隣の検出器行のデータ、１つの検出器行における隣のセグメントのデータ、および先行または後続のデータパケットに含まれている相前後する投影のデータの内の少なくとも１つのデータから補間する補間モジュールが設けられている。
【００２３】
補間モジュールは画像再構成装置の構成部分であると好ましい。完全化モジュールは、例えばプログラム可能な論理ユニットとして、特にフィールドプログラマブルゲートアレイ（ＦＰＧＡ＝Ｆｉｅｌｄ  Ｐｒｏｇｒａｍｍａｂｌｅ  Ｇａｔｅ  Ａｒｒａｙ）として構成するとよい。
【００２４】
基本的に、補間は、本特許出願に明確に取り込まれる開示内容を有する最初に述べた特許文献１においても挙げられているような公知の方法により行なわれる。特に、誤り有りとしてマークされたデータパケットまたはデータの補間は、この特許文献１の方法と同様に行なうことができる。なぜならば、本発明による方法によって、あたかも、欠けているデータパケットまたはデータではなく、寧ろ単に誤りのあるデータパケットまたはデータが存在しているかのように、補間モジュールに記憶内容が供給されるからである。
【発明を実施するための最良の形態】
【００２５】
以下において本発明による方法および装置を図面を参照しながら実施例に基づいて更にもう一度詳細に説明する。
図１はコンピュータ断層撮影装置におけるデータ伝送装置の例を概略図で示し、
図２は誤りのあるデータ伝送を具体的に説明するための表を示し、
図３はデータパケットの２次元構成並びに補間の例を示す。
【００２６】
図１は、ボリュームＣＴ装置における本発明によるデータ伝送装置の配置を概略図で模範的に示す。回転可能な部分１２、すなわち所謂ガントリに固定されているＸ線管１はＸ線コーンビーム２を発生する。このビーム２のｘ方向およびｚ方向への開き角度は機械的に調整可能なコリメータ３によって設定可能である。図はｚ方向に垂直な断面を示す。Ｘ線ビーム２は患者４を透過して平面形検出器ユニット５に入射する。この検出器ユニット５は、本例におけるようなマルチスライスＣＴ装置の場合、多数の検出器行および検出器列を有する検出器要素の２次元マトリックスからなる。各検出器行は患者身体のスライスを再構成するための測定データを供給し、多数の検出器チャネルつまり検出器要素を含む。回転可能な部分１２に配置されているデータ収集ユニット６は、検出器ユニット５の検出器要素によって得られたアナログ測定信号を変換してディジタル測定データのシリアルストリームを供給する。このディジタル測定データは、送信ユニット７において個別のデータパケットに区分けされ、送信器８を介してＣＴ装置の固定部分１３における受信器９に伝送する。送信器８および受信器９は既に従来技術から知られているようにスリップリング伝送装置として構成されている。伝達されたデータパケットは受信ユニット１０に導かれ、この受信ユニット１０は、本例では、画像再構成装置１１の一部分として構成されている。受信ユニット１０において、受信されたビットストリームが復号される。復号された測定データから、画像再構成ユニット１１において、Ｘ線管１と検出器ユニット５とからなる撮影システムにより収集された患者４の検査範囲における個々のスライスの画像が再構成される。
【００２７】
受信ユニット１０は本例では完全化モジュール１４も含み、そして画像再構成ユニット１１は次に詳しく説明する補間モジュール１５を含む。
【００２８】
データ収集ユニット６によって得られたデータは送信ユニット７において比較的小さいデータパケットに区分けされる。データパケットの大きさは、欠けているデータパケットが、先行送信または後続送信されたデータパケットによって補間できるように選ばれる。本例では、各データパケットは、完全な検出器行のデータ、すなわちこの検出器行における全てのチャネルつまり検出器要素のデータを含んでいる。個々の各データパケットは連続したパケット番号を割り付けられているので、欠けているデータパケットは受信ユニット１０において欠けているパケット番号に基づいて識別可能である。更に、各データパケットは検査コードを含み、その検査コードに基づいてデータパケット伝送時におけるビットエラーが識別可能である。
【００２９】
コンピュータ断層撮影装置の回転可能な部分１２は測定中連続的にｚ軸の周りを回転する。この回転中、収集されたデータは絶え間なくリアルタイムで受信ユニット１０に伝送される。この伝送時に障害が生じた場合、受信ユニット１０によって受信されたデータパケットが誤りのあるビットを有するか、またはパケット全体が失われてしまうことがある。図２はこのような誤りのある伝送の例を表に基づいて示す。表において、左欄は、伝送される個々のデータパケットの連続番号を表示し、２番目の欄は正しいか又は正しくない検査コードを表示し、３番目の欄は伝送障害の種類を表示し、４番目の欄は受信ユニットのメモリに本発明による方法に従って記憶されたデータパケットを表示し、右側の欄はそれぞれのデータパケットの状態を表示し、その状態によりメモリ内のこのパケットがマークされている。表から、この例ではパケット番号Ｎ＋２を有するデータパケットが不完全に受信されたか、または誤った検査合計にて受信されたことが明らかである。それにもかかわらず、このデータパケットは完全なデータパケットとして記憶され、誤り有りとしてマークされる。正しい検査コードを持つパケット番号Ｎ＋３を有するデータパケットの受領後に、受信ユニットは次のデータパケットとしてパケット番号Ｎ＋６を有するデータパケットを識別し、このデータパケットは同様に正しい検査コードにて受信される。従って、受信ユニットは欠けている２つのデータパケットを見付け出し、しかしそれにもかかわらず受信バッファにおいて欠けている両パケットＮ＋４，Ｎ＋５のために記憶場所を確保し、これに誤り有りとマークする。
【００３０】
伝送すべき全ての測定データの受領後に、誤り有りとしてマークされたデータパケットは、先行してまたは後続して伝達されたデータパケットのデータから補間される。これは、直線補間、２次補間または高次補間により行なわれる。補間は、もともと欠けていたデータパケットであるか、それとも個別のビットエラーを持って正しく受領されたデータパケットであるかに関係なく、誤り有りとしてマークされた全てのデータパケットについて行なわれる。
【００３１】
その都度誤り有りとしてマークされたデータパケットの内容は、補間された値に置き換えられる。これは、本例では、伝達時におけるデータの構造化によって簡単化される。なぜならば、受信されたデータパケットは、ＣＴ装置の検出器ユニットのジオメトリ、相前後する投影および患者のｚ方向への移動を再現する２次元のマトリックスとして配置されるからである。これは図３から分かる。図３は太枠によってそれぞれ検出器ユニットの検出器行１６および検出器列（もしくは検出器チャネル）１７を再現している。右に向かって測定時に収集される相前後する投影が続き、下に向かってｚ方向への患者の移動が続いている。
【００３２】
投影時に、本例で検出器行１７ａの全チャネルのデータを含むデータパケットにおいて誤りが見付け出され、もしくはこれが誤り有りとマークされた場合、このデータパケットのデータは隣のデータパケットのデータに基づいて補間される。これは、本例では、このデータパケット１７ａの直前および直後に伝達された隣の検出器行１７ｂにおけるデータパケットのデータ並びに直前および直後の投影角における同じ検出器行において収集されたデータパケット１７ｃのデータに該当する。従って、本例で行なわれているデータパケットへのデータの区分けによって、幾何学的関係に基づいて簡単な補間を行なうことができる。受信ユニット１０は、本例では、定められた時間又はデータ量内における予め与え得る限界値の超過時にデータ伝送および測定を中断するために、リアルタイム監視および欠けている又は誤りのあるデータパケットの総数の解析を、ソフトウェア又はプログラム可能な論理ユニットにより行なうことができる。限界値は、本例では、この限界値内ではなおも画像再構成が画像アーチファクトなしに伝達および補間されたデータから可能であるように選ばれる。
【図面の簡単な説明】
【００３３】
【図１】コンピュータ断層撮影におけるデータ伝送装置を例示する概略図
【図２】誤りのあるデータ伝送を具体例を表形式で示す説明図
【図３】データパケットの２次元構成および補間を例示する説明図
【符号の説明】
【００３４】
１        Ｘ線管
２        Ｘ線ビーム
３        コリメータ
４        患者
５        検出器ユニット
６        データ収集ユニット
７        送信ユニット
８        送信器
９        受信器
１０        受信ユニット
１１        画像再構成装置
１２        回転部分
１３        固定部分
１４        完全化モジュール
１５        補間モジュール
１６        検出器行
１７        検出器列
【図１】
2005305166.tif 000003
【図２】
2005305166.tif 000004
【図３】
2005305166.tif 000005